(57)【要約】      （修正有）【課題】袋状カバーに対の芯体をそれぞれ出し入れする際にその作業が容易となる使い勝手のよい枕を提供する。【解決手段】袋状カバー２に枕縦方向に前後にして対にして芯体３、４を収納し、隣り合う芯体３、４の境界位置８に、その境界位置８の中央における上面布９と下面布１０とに亘って位置して上面布９を下面布１０側に引き込みする布マチ１１を設け、布マチ１１と布マチ１１で引き込まれる前位の芯体３側の上面布９と布マチ１１で引き込まれる前位の芯体３側の下面布１０とにより前位の芯体３の中央周りを巻き締めて立断面方向に略等圧分布状に反力１４を生じさせて就寝者の首を受け時に反力１４により就寝者の首を支持する就寝者首受け部１５を、枕前位側の中央に配した。【選択図】図３
0003119581.tif 000002
【実用新案登録請求の範囲】
【請求項１】
少なくとも連続する二辺に開閉可能な出し入れ口を備える袋状カバーと、前記袋状カバーの前記出し入れ口を通して出し入れできる対の芯体とからなる枕であって、前記芯体それぞれが袋状カバーの枕横方向に亘って横長とされて、袋状カバーの内部に枕縦方向において前位と後位にして収納され、袋状カバーの内部で枕縦方向で隣り合う前記芯体の境界位置に、袋状カバーの前記境界位置の中央における袋状カバーの上面布と下面布とに亘って位置して上面布の前記境界位置の中央に対応する部分と下面布の前記境界位置の中央に対応する部分とを枕高さ方向での中心側に引き込みする布マチが設けられ、
前記布マチとこの布マチで引き込まれる前位の芯体側の上面布と前記布マチで引き込まれる前位の芯体側の下面布とにより前位の芯体の中央周りを巻き締めて立断面方向に略等圧分布状に反力を生じさせて就寝者の首を受け時に前記反力により就寝者の首を支持する就寝者首受け部を、枕前位側の中央に配したことを特徴とする枕。
【考案の詳細な説明】
【技術分野】
【０００１】
本考案は枕に関するものである。
【背景技術】
【０００２】
従来、枕においては、就寝者の頭部を適切に支えて安眠が得られるようにすることを目的として袋状カバーの内部に複数の芯体を配置してなるものがあり、枕横方向の両端側に芯体を配置するとともに、その間である中央部においても複数の芯体を枕縦方向に配置したものがある（例えば特許文献１、特許文献２参照）。また、袋状カバーの内部に一方向に出し入れ可能な状態にして複数の芯体を収納し、前記袋状カバーの内部に位置して収納方向に亘る仕切り壁でその袋状カバーの内部を仕切り、芯体の収納領域を区画するようにした工夫がある（特許文献３参照）。
【特許文献１】実用新案登録第３０２５４８４号公報
【特許文献２】実用新案登録第３０５９０４５号公報
【特許文献３】特開２０００−２１７６８６号公報
【考案の開示】
【考案が解決しようとする課題】
【０００３】
ところで、踵位置、臀部位置、肩甲骨位置を垂直面に揃えるような立位姿勢をとり、顔面が垂直から４〜６度程度で前方に傾いた状態で、背中側の前記垂直面から後頭部の位置が若干離れた状態の姿勢、所謂、この自然体の姿勢において首の頚椎にはあまり負担がかからない状態となっている。そして、就寝に際して枕にかかる首の状態が前記自然体時と同様の状態にすることで、仰向けで頭を枕に乗せた際にも頚椎に負担がかからず、安眠を得ることができる点が知られている。このようなことから首が乗ったときに対応部分の高さが３〜８ｃｍ程度となるなどのように、首に対応する部分が好みの凹部となる枕が望まれるようになっている。
しかしながら、芯体を枕両側部のそれぞれに配するとともに中央部に枕縦方向にして複数配した枕において、上述した安眠に適した形状が得られる表面形態としたとしても、構成上、一つの枕に対して必要となる芯体の数が多く、製造者側での芯体の製造や使用者側での芯体の管理などが煩雑になるという不都合があった。また、袋状カバーの内部に仕切り壁を芯体の出し入れ方向に亘って設けられている枕にあっても、用いる芯体において、首を受ける部位が芯体長手方向の他の部位と断面形状を異なるように製造しており、その製造が煩雑になるという欠点があった。
そこで本考案は上記事情に鑑み、芯体の形状を簡易なものとしながら、首を支えるに適した形状が得られ易くすることを課題とし、寝心地のよい枕を得ることを目的とするものである。
【課題を解決するための手段】
【０００４】
本考案は上記課題を考慮してなされたもので、少なくとも連続する二辺に開閉可能な出し入れ口を備える袋状カバーと、前記袋状カバーの前記出し入れ口を通して出し入れできる対の芯体とからなる枕であって、前記芯体それぞれが袋状カバーの枕横方向に亘って横長とされて、袋状カバーの内部に枕縦方向において前位と後位にして収納され、袋状カバーの内部で枕縦方向で隣り合う前記芯体の境界位置に、袋状カバーの前記境界位置の中央における袋状カバーの上面布と下面布とに亘って位置して上面布の前記境界位置の中央に対応する部分と下面布の前記境界位置の中央に対応する部分とを枕高さ方向での中心側に引き込みする布マチが設けられ、前記布マチとこの布マチで引き込まれる前位の芯体側の上面布と前記布マチで引き込まれる前位の芯体側の下面布とにより前位の芯体の中央周りを巻き締めて立断面方向に略等圧分布状に反力を生じさせて就寝者の首を受け時に前記反力により就寝者の首を支持する就寝者首受け部を、枕前位側の中央に配したことを特徴とする枕を提供して、上記課題を解消するものである。
【考案の効果】
【０００５】
本考案によれば、袋状カバーの内部において、収納された対の芯体の境界位置の中央には布マチが設けられているとともに、その両側が開放されているため、芯体を収める部分が上記仕切り壁で区切った従来のような枕横方向に奥行のある袋状のものとはならず、芯体それぞれの出し入れに抵抗が生じず、芯体の出し入れ操作が容易になる。また、就寝者の首位置に対応する枕前位側の芯体の立断面（芯体の長手方向が垂直となる断面）の基本形状を、就寝者の首後を受け易くする底平で上凸の略かまぼこ型とした場合でも、前記布マチが設けられているので、その芯体の上面側における盛り上がり形状を上面布の面形状に反映させ易くなるとともに、下面布側の面形状もかまぼこ型芯体の底面形状が反映されて布マチ位置部分が深く引き上げられるというようなことがなくなって、枕底面全体に安定感を想起させ、上面布と下面布とを直接縫合したもののように下面布側が枕高さ方向の上方に深く引き上げられてしまうことがない。
そして、布マチの引き込みによって枕上面の略中央に就寝者の頭部を受ける凹部が形成されることとなって、芯体を、就寝者頭部受け用の凹みを予め有する形状とする複雑な形状にする必要がないにもかかわらず、就寝者の頭部に対して適度なホールド性のある凹部を備えた枕となる。さらに、就寝者首受け部は略等圧分布状態で反力が生じるようにしているものであることから、就寝者が首を乗せて心地良いと感じた首受け部の高さや形状を保ち易くなる。
【考案を実施するための最良の形態】
【０００６】
つぎに本発明を図１から図４に示す実施の形態に基づいて詳細に説明する。
図中１は平面形状において枕縦方向の寸法より枕横方向の寸法を大きくした長方形の枕であり、袋状カバー２と、この袋状カバー２の内部に対となって出し入れ可能に収納されている二つの芯体３，４とからなるものである。この枕１の前記袋状カバー２にあっては連続する二辺にファスナからなる開閉可能な出し入れ口５を備えていて、枕縦方向に沿っている縦部分６と枕横方向に沿っている横部分７とが連続して一本のファスナにより構成されている。
また、芯体３、４それぞれは袋状カバー２の袋横方向に亘って収納されるもので、袋縦方向に前後にして位置する二つの芯体３、４の内、使用時での前位側のものと後位側のものとで太さが異なるように設定されており、両者の対比として太く形成されている芯体３が前位に配され、芯体３より若干細く形成されている芯体４が後位に配されていて、この枕１では、芯体３と芯体４との境界位置８が就寝姿勢（仰向け）を採ったときの頭部（後頭部）に対応する。なお、芯体３、４それぞれの内部に詰められる充填物はその芯体が適度な弾性に有するものとなる素材として通常に知られている各種のもの（例えば、羽毛、綿など）が利用でき、硬さについても限定されるものではない。即ち、芯材３、芯材４については枕使用者側で自由に選択できるように各種のものを用意し、枕使用者が自身の好みにおいて利用できるようにすることが好ましい。また、芯体３、４の立断面形状は、この芯体３、４を袋状カバー２に収納した際してそれぞれ上面に凸となる度合いが高くなるように、底平の略かまぼこ型を呈するようにしている。
【０００７】
図２に示されているように、上記袋状カバー２の内部には境界位置８の中央において袋状カバー２の上面布９と下面布１０とに亘って布マチ１１が位置している。この布マチ１１の高さ寸法は、枕１の枕高さ方向での寸法に比べて十分に小さく、上面布９の中央と下面布１０の中央とを枕高さ方向での中心側に引き込みするものである（図３）。また、前記布マチ１１は袋状カバー２の内部において枕横方向全幅に亘るものではなく、境界位置８の中央においてある程度の幅を有するように設けられている。この布マチ１１における前記枕横方向での幅は、前記引き込みにより、枕上面と枕下面とのそれぞれの中央部分において枕横方向にも凹みを広げて、特に前記枕上面の中央に就寝者頭部受け凹部１２を形成する幅としている。
このように枕１においては、対にして枕横方向に長い芯体３、４を収納しながらも、枕横方向全般に亘って凹むことなく中央部分に就寝者頭部受け凹部１２を備えているので、仰向けに寝姿勢をとった就寝者の頭部を適正に保持して、安眠を確保し易くなる。
【０００８】
さらに上記就寝者頭部受け凹部１２に対応する枕１の前位位置では、布マチ１１とこの布マチ１１で引き込まれる前位の芯体３側の上面布９と布マチ１１で引き込まれる同じく前位の芯体３側の下面布１０とにより前位の芯体３の中央周りを巻き締めており、布マチ１１を用いたこの巻き締めにより枕１の前位側の中央において、立断面方向に略等圧分布状に反力１４を生じさせた就寝者首受け部１５が設けられている。この就寝者首受け部１５は就寝者の首を受け時に略等分布状態の反力１４によって就寝者の首を支持するようになり、就寝者が首を乗せてその首を動かすなどして心地良いと感じた時点で首周りを止めれば、その心地良いと感じた就寝者首受け部１５の高さや形状が保たれ易くなる。よって、頚椎の形状を、自然体状態と同等の適度な弧を描くような曲がりにして負荷の加わり難い状態を就寝者自身で簡単に得ることができる。
【０００９】
上述したように布マチ１１は就寝者頭部受け凹部１２を形成するだけの横幅を有するものである。また、境界位置８では布マチ１１の両側に、上面布９と下面布１０を非連結にして開放されて枕縦方向に隣り合う芯体３、４が直接当接し合う芯体出し入れ操作口部１３が位置している。前記布マチ１１自体は就寝者頭部受け凹部１２を形成するものの、袋横方向での幅はそれほど大きいものではない。よって、図４に示すように、前記芯体出し入れ操作口部１３を袋横方向に十分に広がりを持つものとすることができ、上記出し入れ口５に対して奥側となる部分に芯体３を入れ込む場合に際しても、十分に広い芯体出し入れ操作口部１３の一方を通して所定の位置に向けて送り込み、もう一方の芯体出し入れ操作口部１３においても、そのもう一方の芯体出し入れ操作口１３に手を通して、直接芯体３の端部などを保持しながら適正位置に案内させることができる。勿論、この出し入れ口５に対して奥側の部分にある芯体３を取り出す場合にも、それぞれの芯体出し入れ操作口部１３が広いために直接手で芯体３を保持できて容易な操作となる。
【００１０】
なお、実施の形態において、上面布９は下面布１０に比べて伸縮性に富む素材からなるものであり、布マチ１１との縫合した部分の強度を保ち、かつ、上面布９の形態が芯体３、４の上面部分の形状が適正に現れるようにするなどの目的のために布ベルト１６が上面布９において枕横方向に亘って取り付けられている。
【図面の簡単な説明】
【００１１】
【図１】本考案に係る枕の一例を示す説明図である。
【図２】一例における対の芯体の収納状態における配置を概略的に示すもので、（イ）は上面から見た状態での芯体の位置を示す説明図、（ロ）は布マチを通る枕縦方向に沿った断面方向での芯体の位置を示す説明図である。
【図３】一例を一部を切り欠いて示す説明図である。
【図４】一例の境界位置での前位側の芯体の収納状態と芯体取り出し操作口部とを示す説明図である。
【符号の説明】
【００１２】
１…枕
２…袋状カバー
３、４…芯体
５…出し入れ口
６…縦部分
７…横部分
８…境界位置
９…上面布
１０…下面布
１１…布マチ
１２…就寝者頭部受け凹部
１３…芯体出し入れ操作口部
１４…反力
１５…就寝者首受け部
【図１】
0003119581.tif 000003
【図２】
0003119581.tif 000004
【図３】
0003119581.tif 000005
【図４】
0003119581.tif 000006